(57)【要約】      （修正有）【課題】膜の破損をより容易に確認できる耳垢防護器具を提供する。【解決手段】膜４とこれに付属する支持体１との間に高い対比が採り入れられる。膜に亀裂が生じた場合、背景の支持体が容易に検知可能となる。例えば、膜４と支持体１との間の明度対比は０．１よりも大きくする。高い色相対比が必要な場合、膜の色相は支持体の色相から青−黄−赤−色相環上で少なくとも６０°離間する。【選択図】図１
2007174665.tif 000002
【特許請求の範囲】
【請求項１】
補聴器用耳垢防護器具であって、
音透過開口（３）を有する支持体（１）と、
侵入する耳垢から防護するために音透過開口（３）に張架された膜（４）とを備えたものにおいて、
膜（４）と支持体（１）との間の明度対比が０．１よりも大きいことを特徴とする耳垢防護器具。
【請求項２】
明度対比が０．３よりも大きい、請求項１記載の耳垢防護器具。
【請求項３】
明度対比が０．５よりも大きい、請求項１記載の耳垢防護器具。
【請求項４】
明度対比が０．７よりも大きい、請求項１記載の耳垢防護器具。
【請求項５】
明度対比が０．９よりも大きい、請求項１記載の耳垢防護器具。
【請求項６】
補聴器用耳垢防護器具であって、
音透過開口（３）を有する支持体（１）と、
侵入する耳垢から防護するために音透過開口（３）に張架された膜（４）とを備えたものにおいて、
膜（４）の色相が支持体（１）の色相から青−黄−赤−色相環上で少なくとも６０°離間していることを特徴とする耳垢防護器具。
【請求項７】
膜（４）の色相と支持体（１）の色相が色相環上で少なくとも９０°離間している、請求項６記載の耳垢防護器具。
【請求項８】
膜（４）の色相と支持体（１）の色相が実質的に補色である、請求項６記載の耳垢防護器具。
【請求項９】
支持体（１）が漏斗状に構成されている、先行請求項のいずれか１項記載の耳垢防護器具。
【発明の詳細な説明】
【技術分野】
【０００１】
本発明は、補聴器または別の補聴装置、例えばヘッドホン用の耳垢防護器具であって、音透過開口を有する支持体と、侵入する耳垢から防護するために音透過開口に張架された膜（メンブレン膜）とを備えたものに関する。
【背景技術】
【０００２】
補聴器は日常の利用において多種多様な物質に曝されており、これらの物質は機器内、特に機器の変換器内に汚れを引き起こすことがある。このような物質とは特に汗と耳垢である。変換器、つまりマイクロホンやイヤホンの内部の汚れは高いサービス費を生じさせる。というのも、汚れた変換器は清浄にされねばならず、最悪な場合交換さえされねばならないからである。
【０００３】
この問題を解決するために、耳垢が容易に例えばイヤホンに達し得ることのないように、開放式の耳垢防護システムがしばしば利用される。しかしこのような開放式耳垢防護システムはイヤホンの汚れを必ずしも防止できない。
【０００４】
代案として特許文献１で紹介される補聴器では、イヤホンが膜によって鼓膜から遮断されている。同様に、特許文献２は音響変換器用の音響的に透過性を有する汚れ防護器具を示している。防護皮膜（フィルム）が固体、液体および気体の汚染物質を音響変換器から遠ざけるとされる。
【０００５】
防護膜は音響上の理由からきわめて薄いので、破損や破壊もごく受け易い。それゆえに、膜がなお健全であるか否かを絶えず点検しなければならない。しかしその際に、膜が張架されている音開口は一般にきわめて小さいので、膜の破損を視覚的に確認するのには大変な労力を要するという問題を生じる。
【０００６】
ソニオン（Sonion）社も、イヤホン出口を膜で耳垢から防護するという補聴器を提供している。この膜を点検するために非特許文献１では懐中電灯を使用することが提案されている。膜が健全であると、膜は懐中電灯の光をそれに対応する角度で反射する。膜が汚れまたは破損していると、光は反射されない。しかしこの検査法は、比較的複雑であるので、限定された人達にとってのみ実施可能である。
【特許文献１】独国特許出願公開第１９６４０７９６号明細書
【特許文献２】米国特許出願公開第２００５／００１８８６６号明細書
【非特許文献１】２００５年１０月１日付けApplication Note, C-Barrier, www.sonion.comの１５頁
【発明の開示】
【発明が解決しようとする課題】
【０００７】
そこで本発明の課題は、膜の破損をより容易に確認できる耳垢防護器具を提案することである。
【課題を解決するための手段】
【０００８】
本発明によればこの課題は、音透過開口を有する支持体と、侵入する耳垢から防護するために音透過開口に張架された膜とを備えた補聴器用耳垢防護器具において、膜と支持体との間の明度対比が０．１よりも大きいことによって解決される。
【０００９】
さらに本発明によれば、音透過開口を有する支持体と、侵入する耳垢から防護するために音透過開口に張架された膜とを備えた補聴器用耳垢防護器具において、膜の色相が支持体の色相から青−黄−赤−色相環上で少なくとも６０°離間している。
【００１０】
本発明によれば、保護膜と支持体との間に眼にとって明確に知覚可能な対比が存在し、膜の裂傷時にその下にある支持体が視認可能となり、それによって破損を容易に認識することができる。
【００１１】
膜と支持体との間の明度対比は０．３よりも大きく、０．５よりも大きく、０．７よりも大きく、または０．９よりも大きいことが望ましい。両方の構成要素の間の対比が強ければ強いほど、膜の破損はより容易に確認することができる。それによって、膜の欠陥の視覚的検知は通常使用される透明膜における場合よりもはるかに容易となる。
【００１２】
膜と支持体との間の色相対比が利用される場合、膜の色相が支持体の色相から色相環上で少なくとも９０°離間していると役に立つことがある。両方の色相が実質的に補色であるとなお一層好ましい。これにより、光の条件が悪い場合でも一般的に膜を確実に調べる十分な可能性が出てくる。
【００１３】
特殊な１実施形態において、膜を張架された支持体は漏斗状とすることができる。こうして、亀裂が生じた場合に大部分の膜の背後の支持体を視覚的に知覚することができる。
【００１４】
次に添付図面を基に本発明が詳しく説明される。
【発明を実施するための最良の形態】
【００１５】
以下で詳しく述べる実施例は本発明の好ましい実施形態である。
【００１６】
図１に模式的に示された耳垢防護器具は実際には漏斗状の支持体１を有する。その先細末端２でもって支持体は補聴器の図示しないイヤホンの音出口に差し込まれる。その反対側の末端に支持体１が幅広な音開口３を有し、この音開口に膜４が張架されている。
【００１７】
膜４が例えば暗色を有する一方、膜支持体１は明色に着色されている。この明確な明暗対比によって膜４の欠陥は、破損した暗色膜４を通して明色支持体１が視認可能となるので容易に検知することができる。
【００１８】
膜４と支持体１との間の明度差が両方の構成要素の間の明度対比を決定する。一般に対比ＫはＫ＝（Ｉmax−Ｉmin）／（Ｉmax＋Ｉmin）と定義されている。その際、Ｉmaxは明るい構成要素の光度、Ｉminは暗い構成要素の光度である。光度自体は光束と立体角との商である。本明細書で使用する概念「明度対比」は上記の定義に拠っている。
【００１９】
膜と支持体が同じ明るさであると、Ｉmax＝Ｉmin、従ってＫ＝０である。それに対して両方の構成要素の一方が黒、すなわちＩmin＝０であると、Ｋ＝１である。つまり対比Ｋはこの定義に従って値０と値１との間を動く。
【００２０】
代案として、生理的対比Ｋphに注目することもできる。これは以下の如く定義されている：Ｋph＝（Ｌob−ＬU）／（ＬU）。その際Ｌobは対象物の輝度、ＬUは周囲の輝度である。人間の眼が周囲中の対象物を知覚できるためには、対象物と周囲との間に相対的な対比が存在しなければならない。最も単純な場合これは輝度の違いである。これになお色相差を付け加えることができる。生理的対比Ｋphは−１と＋∞との間の値をとることができる。特許請求の範囲に明示した上記明度対比値は相応する生理的対比値に換算することができる。支持体と膜との間により高められた対比が存在するという本発明の核心はそのことに左右されない。
【００２１】
前記明度対比は物理的対比の一種と見做すことができる。しかし人間の眼は別の光学的対比を知覚することもできる。それに応じて例えば絵画では明暗対比の他になお別の、冷暖対比、色相自体の対比、補色対比、品質対比、量的対比、同時対比、連続性対比等の対比定義が存在する。対比の種類にかかわりなく本発明の本質は、既に触れたように、支持体と膜との間に十分に知覚可能な対比を採り入れることにある。
【００２２】
ところで他の実施例では色相対比が膜の欠陥の知覚向上に利用される。色相対比を定義するために、図２に示す絵画の青−黄−赤−色相環が利用される。青、赤、黄の３つの基調色は１２０°間隔で色相環上にある。欠陥検知にとって十分な色相対比を実現するために、使用される両方の色は少なくとも６０°離間しているべきである。図２にはこれが暗オレンジと明オレンジとについて書き込まれている。例えば暗オレンジと黄との組合せでは、少なくとも９０°の間隔があるので、色相対比は既に著しく高い。膜４と支持体１とに使用される色相が色相環上で直接向き合っている場合、両方の色相は互いに補色であり、最大の色相対比が達成されている（選択例では：暗オレンジと青緑）。その場合、膜４の欠陥は色相によって最も容易に検知できる。
【００２３】
膜と支持体との間の高い対比がどのような方法で達成されるにしても、膜欠陥の知覚はいずれにしても著しく容易となる。
【図面の簡単な説明】
【００２４】
【図１】本発明に係る耳垢防護器具の横断面図である。
【図２】絵画の青−黄−赤−色相環を示す。
【符号の説明】
【００２５】
１  支持体
２  末端
３  音開口
４  膜
【図１】
2007174665.tif 000003
【図２】
2007174665.tif 000004